(57)【特許請求の範囲】
【請求項１】
窒素含有水に対して生物処理を行う好気槽において前記窒素含有水の流入側の窒素負荷量の計測値を蓄積したデータに基づいて、前記好気槽内の窒素含有水における所定時間内での窒素負荷量の経時変化であって所定時間ごとに周期的なパターンである負荷パターンを導出する負荷パターン導出ステップと、
前記窒素含有水の流れ方向に沿った前記好気槽外の上流側において前記窒素含有水の窒素負荷量を計測する流入側窒素負荷量計測ステップと、
前記負荷パターンに基づいて、前記所定時間より短い制御単位時間ごとの気体供給量を算出する気体供給量算出ステップと、
前記気体供給量算出ステップにおいて算出された前記気体供給量に従って、前記窒素含有水に供給する気体の気体供給量を制御単位時間ごとに制御する第１気体供給量制御ステップと、
前記好気槽の前記窒素含有水の流れ方向に沿った下流側の少なくとも１箇所の計測位置における前記窒素含有水の窒素負荷量を計測する下流側窒素負荷量計測ステップと、
前記計測された下流側における前記窒素含有水の窒素負荷量に基づいて、前記気体供給量算出ステップにおいて算出された前記制御単位時間ごとの気体供給量を調整する気体供給量調整ステップと、
前記気体供給量調整ステップにおいて調整された気体供給量に従って、前記窒素含有水に供給する気体の制御単位時間ごとの気体供給量を制御する第２気体供給量制御ステップと、
前記第２気体供給量制御ステップによって気体供給量が制御されつつ前記窒素含有水に気体を供給する散気ステップと、
前記窒素含有水に対して生物処理を行う生物処理ステップと、を含む
ことを特徴とする排水の処理方法。
【請求項２】
前記好気槽の水深が６ｍ以下であることを特徴とする請求項１に記載の排水の処理方法。
【請求項３】
前記気体供給量算出ステップは、前記所定時間ごとに実行されることを特徴とする請求項１または２に記載の排水の処理方法。
【請求項４】
前記気体供給量調整ステップは、前記制御単位時間ごとに実行されることを特徴とする請求項１〜３のいずれか１項に記載の排水の処理方法。
【請求項５】
前記流入側窒素負荷量計測ステップにおける前記上流側の窒素含有水の窒素負荷量の計測と、前記下流側窒素負荷量計測ステップにおける前記下流側の窒素含有水の窒素負荷量の計測とを含む複数の計測位置における計測を、前記複数の計測位置の数未満の台数の計測器を用いて行うことを特徴とする請求項１〜４のいずれか１項に記載の排水の処理方法。
【請求項６】
前記制御単位時間が３０分以上３時間以下であることを特徴とする請求項１〜５のいずれか１項に記載の排水の処理方法。
【請求項７】
窒素含有水に対して生物処理を行う好気槽において前記窒素含有水の流入側の窒素負荷量の計測値を蓄積することによって導出された、前記好気槽内の窒素含有水における所定時間内での窒素負荷量の経時変化であって所定時間ごとに周期的なパターンである負荷パターンを記録する記録手段と、
前記負荷パターンに基づいて、制御単位時間ごとの気体供給量を算出する気体供給量算出手段と、
前記窒素含有水の流れ方向に沿った前記好気槽外の流入側において前記窒素含有水の窒素負荷量を計測する流入側窒素負荷量計測手段と、
前記好気槽の前記窒素含有水の流れ方向に沿った下流側における前記窒素含有水の窒素負荷量を少なくとも１箇所の計測位置において計測する下流側窒素負荷量計測手段と、
前記下流側窒素負荷量計測手段によって計測された下流側における前記窒素含有水の窒素負荷量に基づいて、前記気体供給量算出手段によって算出された前記制御単位時間ごとの気体供給量を調整する気体供給量調整手段と、
前記気体供給量調整手段によって調整された気体供給量、または前記気体供給量調整手段によって変更されなかった場合に前記気体供給量算出手段によって算出された前記気体供給量に従って、前記窒素含有水に供給する気体の制御単位時間ごとの気体供給量を制御する気体供給量制御手段と、
前記気体供給量制御手段によって気体供給量が制御されつつ前記窒素含有水に気体を供給する散気手段と、を備える
ことを特徴とする排水の処理装置。
【請求項８】
前記好気槽の水深が６ｍ以下であることを特徴とする請求項７に記載の排水の処理装置。
【請求項９】
前記気体供給量算出手段および前記気体供給量調整手段から外部に情報を出力する出力部と、外部から情報が入力される入力部とをさらに備え、前記流入側窒素負荷量計測手段および前記下流側窒素負荷量計測手段はそれぞれ、計測した窒素負荷量を出力可能に構成され、前記流入側窒素負荷量計測手段から出力された窒素負荷量の計測値が、前記入力部を通じて前記気体供給量算出手段に入力可能に構成され、前記下流側窒素負荷量計測手段から出力された窒素負荷量の計測値が、前記入力部を通じて前記気体供給量調整手段に入力可能に構成され、前記気体供給量算出手段または前記気体供給量調整手段により算出された気体供給量が、前記出力部を通じて出力可能に構成されていることを特徴とする請求項７または８に記載の排水の処理装置。
【請求項１０】
前記流入側窒素負荷量計測手段および前記下流側窒素負荷量計測手段を、前記流入側窒素負荷量計測手段による計測位置と前記下流側窒素負荷量計測手段による計測位置との合計より少ない台数の計測器から構成することを特徴とする請求項７〜９のいずれか１項に記載の排水の処理装置。
【発明の詳細な説明】
【技術分野】
【０００１】
本発明は、排水の処理方法および排水の処理装置に関する。
【背景技術】
【０００２】
従来、生活排水または工場排水等の下水を処理する下水処理システムとして、標準活性汚泥法によるものや散水ろ床法によるものなど、様々な下水処理システムが実用化されている。標準活性汚泥法による下水処理システムにおいては、反応槽内に処理対象の下水を流入させつつ、この反応槽内に存在する多種類の好気性微生物に対して酸素を供給する曝気処理を行う。これによって、反応槽内の下水中に含まれる有機物は、好気性微生物の作用によって分解され、安定した処理水質が得られる。
【０００３】
反応槽内での曝気処理においては、曝気を行う散気装置に対して、流入水比例制御、ＤＯ（溶存酸素）制御、またはアンモニア制御（特許文献１参照）が行われる。流入水比例制御は、反応槽の流入側に設置された流量計を用いて、反応槽に流入する流入水量に比例した量の空気を散気装置に供給する制御である。ＤＯ制御は、反応槽の流出側の末端に設置した溶存酸素計（ＤＯ計）を用いて溶存酸素濃度を計測し、この溶存酸素濃度を所定の濃度に維持するように散気装置に空気を供給する制御である。アンモニア制御は、反応槽の流出側の末端に設置したアンモニア計を用いて、反応槽の末端におけるアンモニア性窒素（ＮＨ4−Ｎ）を所定の濃度に維持するように散気装置に空気を供給する制御である。
【先行技術文献】
【特許文献】
【０００４】
【特許文献１】特開２００５−１９９１１６号公報
【発明の概要】
【発明が解決しようとする課題】
【０００５】
しかしながら、上述した各種制御においては、次のような問題があった。すなわち、流入水比例制御においては、窒素を含有する原水の水質が変動するため有機物負荷やアンモニア負荷が変わってしまい、流入水量に応じて空気量を制御すると、空気量の過不足が生じてしまう。空気量が不足すると処理水質が悪化し、反対に空気量が過剰になると空気の供給に使用するエネルギーが増加して高コスト化する。
【０００６】
本発明は、上記に鑑みてなされたものであって、その目的は、使用するエネルギーを低減させて低コスト化できる、排水の処理方法および排水の処理装置を提供することにある。
【課題を解決するための手段】
【０００７】
上述した課題を解決し、上記目的を達成するために、本発明に係る排水の処理方法は、窒素含有水に対して生物処理を行う好気槽において窒素含有水の流入側の窒素負荷量の計測値を蓄積したデータに基づいて、好気槽内の窒素含有水における所定時間内での窒素負荷量の経時変化であって所定時間ごとに周期的なパターンである負荷パターンを導出する負荷パターン導出ステップと、窒素含有水の流れ方向に沿った好気槽外の上流側において窒素含有水の窒素負荷量を計測する流入側窒素負荷量計測ステップと、負荷パターンに基づいて、所定時間より短い制御単位時間ごとの気体供給量を算出する気体供給量算出ステップと、気体供給量算出ステップにおいて算出された気体供給量に従って、窒素含有水に供給する気体の気体供給量を制御単位時間ごとに制御する第１気体供給量制御ステップと、好気槽の窒素含有水の流れ方向に沿った下流側の少なくとも１箇所の計測位置における窒素含有水の窒素負荷量を計測する下流側窒素負荷量計測ステップと、計測された下流側における窒素含有水の窒素負荷量に基づいて、気体供給量算出ステップにおいて算出された制御単位時間ごとの気体供給量を調整する気体供給量調整ステップと、気体供給量調整ステップにおいて調整された気体供給量に従って、窒素含有水に供給する気体の制御単位時間ごとの気体供給量を制御する第２気体供給量制御ステップと、第２気体供給量制御ステップによって気体供給量が制御されつつ窒素含有水に気体を供給する散気ステップと、窒素含有水に対して生物処理を行う生物処理ステップと、を含むことを特徴とする。
【０００８】
本発明に係る排水の処理方法は、上記の発明において、好気槽の水深が６ｍ以下であることを特徴とする。
【０００９】
本発明に係る排水の処理方法は、上記の発明において、気体供給量算出ステップは、所定時間ごとに実行されることを特徴とする。
【００１０】
本発明に係る排水の処理方法は、上記の発明において、気体供給量調整ステップは、制御単位時間ごとに実行されることを特徴とする。
【００１１】
本発明に係る排水の処理方法は、上記の発明において、流入側窒素負荷量計測ステップにおける上流側の窒素含有水の窒素負荷量の計測と、下流側窒素負荷量計測ステップにおける下流側の窒素含有水の窒素負荷量の計測とを含む複数の計測位置における計測を、複数の計測位置の数未満の台数の計測器を用いて行うことを特徴とする。
【００１２】
本発明に係る排水の処理方法は、上記の発明において、制御単位時間が３０分以上３時間以下であることを特徴とする。
【００１３】
本発明に係る排水の処理装置は、窒素含有水に対して生物処理を行う好気槽において窒素含有水の流入側の窒素負荷量の計測値を蓄積することによって導出された、好気槽内の窒素含有水における所定時間内での窒素負荷量の経時変化であって所定時間ごとに周期的なパターンである負荷パターンを記録する記録手段と、負荷パターンに基づいて、制御単位時間ごとの気体供給量を算出する気体供給量算出手段と、窒素含有水の流れ方向に沿った好気槽外の流入側において窒素含有水の窒素負荷量を計測する流入側窒素負荷量計測手段と、好気槽の窒素含有水の流れ方向に沿った下流側における窒素含有水の窒素負荷量を少なくとも１箇所の計測位置において計測する下流側窒素負荷量計測手段と、下流側窒素負荷量計測手段によって計測された下流側における窒素含有水の窒素負荷量に基づいて、気体供給量算出手段によって算出された制御単位時間ごとの気体供給量を調整する気体供給量調整手段と、気体供給量調整手段によって調整された気体供給量、または気体供給量調整手段によって変更されなかった場合に気体供給量算出手段によって算出された気体供給量に従って、窒素含有水に供給する気体の制御単位時間ごとの気体供給量を制御する気体供給量制御手段と、気体供給量制御手段によって気体供給量が制御されつつ窒素含有水に気体を供給する散気手段と、を備えることを特徴とする。
【００１４】
本発明に係る排水の処理装置は、上記の発明において、好気槽の水深が６ｍ以下であることを特徴とする。
【００１５】
本発明に係る排水の処理装置は、上記の発明において、気体供給量算出手段および気体供給量調整手段から外部に情報を出力する出力部と、外部から情報が入力される入力部とをさらに備え、流入側窒素負荷量計測手段および下流側窒素負荷量計測手段はそれぞれ、計測した窒素負荷量を出力可能に構成され、流入側窒素負荷量計測手段から出力された窒素負荷量の計測値が、入力部を通じて気体供給量算出手段に入力可能に構成され、下流側窒素負荷量計測手段から出力された窒素負荷量の計測値が、入力部を通じて気体供給量調整手段に入力可能に構成され、気体供給量算出手段または気体供給量調整手段により算出された気体供給量が、出力部を通じて出力可能に構成されていることを特徴とする。
【００１６】
本発明に係る排水の処理装置は、上記の発明において、流入側窒素負荷量計測手段および前記下流側窒素負荷量計測手段を、流入側窒素負荷量計測手段による計測位置と下流側窒素負荷量計測手段による計測位置との合計より少ない台数の計測器から構成することを特徴とする。
【発明の効果】
【００１７】
本発明に係る排水の処理方法および排水の処理装置によれば、使用するエネルギーを低減できることによって低コスト化することが可能となる。
【図面の簡単な説明】
【００１８】
【図１】図１は、本発明の一実施形態における排水の処理装置を示す構成図である。
【図２】図２は、本発明の一実施形態による排水の処理方法および処理方法に伴う気体供給量の制御方法を説明するためのフローチャートである。
【図３】図３は、本発明の一実施形態の好気槽における、１日の窒素負荷総量に基づいた平均窒素負荷量に対する窒素負荷量の比率の経時変化を示すグラフである。
【図４】図４は、本発明の一実施形態の変形例における排水の処理装置を示す構成図である。
【図５】図５は、本発明の一実施形態の変形例による排水の処理方法および処理方法に伴う気体供給量の制御方法を説明するためのフローチャートである。
【発明を実施するための形態】
【００１９】
以下、本発明の一実施形態について図面を参照しつつ説明する。なお、以下の一実施形態の全図においては、同一または対応する部分には同一の符号を付す。また、本発明は以下に説明する一実施形態によって限定されるものではない。
【００２０】
まず、本発明の理解を容易にするために、本発明者が上述した課題の解決するために行った鋭意検討の概要について説明する。まず、本発明者は、排水処理施設において、好気槽への気体供給量を制御するために窒素濃度を計測した。具体的に本発明者は、好気槽に流入する窒素含有水（好気槽流入水）と好気槽の最下流側の窒素含有水（下流側被処理水）とにおける、アンモニア性窒素（ＮＨ4−Ｎ）濃度および硝酸性窒素（ＮＯ3−Ｎ）濃度を計測した。そして、本発明者は、時間ごとの好気槽流入水のアンモニア性窒素濃度と流量とに基づいて、時間あたりのアンモニア性窒素負荷量（以下、窒素負荷量）の変化を数ヶ月に亘って計測して解析を行った。その結果、本発明者は、好気槽流入水の負荷量の変動パターン（負荷パターン）が周期的、通常は１日周期で一定のパターンになることを見出した。
【００２１】
図３は、この好気槽流入水の負荷パターンの一例を示すグラフである。なお、図３は、互いに異なる第１所定日、第２所定日および第３所定日のそれぞれにおいて、１時間ごとの窒素負荷量の経時変化を、１日の窒素負荷量の総量（以下、総窒素負荷量）に基づく１時間の平均負荷量（総窒素負荷量／２４時間）に対する比率で表したものである。すなわち、互いに異なる第１所定日、第２所定日、および第３所定日における負荷パターンの時間依存性を、それぞれの所定日ごとに平均負荷量を１００％とした場合の比率によって表したグラフである。
【００２２】
図３から、本発明者は、窒素負荷量の時間変化を平均負荷量に対する比率に基づいて整理すると、好気槽流入水の流量や流入総量が大幅に異なっても、負荷パターンは互いに略同様のパターンになることを知見するに至った。また、本発明者は、化学的酸素要求量（ＣＯＤ：Chemical  Oxygen  Demand）についても同様の実験および検討を行い、ＣＯＤにおいても上述した窒素負荷量の負荷パターンとほぼ同様の傾向があることを確認した。さらに、これらの負荷パターンは、雨天時における処理水量の増加時においても、安定して略同様のパターンになることも確認された。
【００２３】
また、好気槽内の窒素含有水に必要な気体量には、生物化学的酸素要求量（ＢＯＤ：Biochemical  Oxygen  Demand）や内生呼吸分なども考慮する必要がある。内生呼吸分は、本来ＭＬＳＳ濃度に比例するため、上述した負荷パターンのようなパターンは存在しない。水質に対する影響は、内生呼吸分に比してＢＯＤ成分と窒素成分との合計の方が支配的であることから、本発明者は、上述した窒素負荷量の１つのパラメータのみで空気供給量を算出して設定できることを想起した。本発明者の知見によれば、ＢＯＤについては、上述した負荷パターンと略同様の変動パターンを有する。そのため、窒素負荷量を計測して、上述した平均窒素負荷に対する比率を導出することによって、ＢＯＤ成分を近似的に組み込むことができる。
【００２４】
以上のことから本発明者は、好気槽に流入する流入水の負荷パターンが所定周期ごとに略同様のパターンになることに基づいて、この負荷パターンを用いて生物処理槽に対する気体供給量をフィードフォワード制御できることを想起するに至った。本発明は、以上の検討に基づいて案出されたものである。
【００２５】
（排水処理装置の構成）
次に、上述した本発明者による鋭意検討に基づいた本発明の一実施形態による排水の処理装置の構成について説明する。図１は、本発明の一実施形態による排水処理装置の構成を示す模式図である。
【００２６】
図１に示すように、この一実施形態による排水処理装置は、最初沈殿池１、嫌気槽２、生物処理槽である反応槽としての好気槽３、固液分離槽４、および制御装置の一部としての制御部５を備える。
【００２７】
最初沈殿池１には、原水として窒素含有水が流入する。最初沈殿池１においては、原水を緩やかに流水させて、比較的粒子の小さいゴミなどを沈殿させる。嫌気槽２は、窒素含有水の流れ方向に沿った最初沈殿池１の後段に設けられている。嫌気槽２は、窒素含有水である被処理水が最初沈殿池１を介して流入する槽であり、被処理水に対して脱リン処理（嫌気処理）を施す。嫌気槽２内には外部のモータ２１により回転可能な攪拌部２２が設けられ、攪拌部２２が嫌気槽２内の活性汚泥を攪拌する。なお、下水処理場の構成によっては最初沈殿池１が設けられていない場合もある。この場合、窒素含有原水は最初に嫌気槽２に流入する。また、下水処理場の構成によっては嫌気槽２が設けられておらず、気体供給量を減少させることによって、好気槽３内の上流側において擬似的に嫌気的反応を生じさせる場合もある。
【００２８】
また、この嫌気槽２に対して被処理水の流れ方向に沿ってより上流側の流入位置に、流入側窒素負荷量計測手段としてのアンモニア計６１が設置されている。なお、アンモニア計６１は、最初沈殿池１の上流側における原水の流入位置に設けても良い。すなわち、アンモニア計６１は、下水処理場の構成によって最初沈殿池１や嫌気槽２が設けられていない場合においても、被処理水の流れ方向に沿って好気槽３外の上流側に設けられる。また、アンモニア計６１は、計測値を表示して外部に報知可能に構成されていたり、電気信号として出力して制御部５に供給可能に構成されていたりする。
【００２９】
好気槽３は、深さが例えば６ｍ以下の浅槽であって気体が供給される単一の好気槽から構成されている。好気槽３には、嫌気槽２から流出した窒素含有水である被処理水が流入する。被処理水の流入量は所定の流量計（図示せず）により逐次計測されて制御部５に供給される。
【００３０】
好気槽３の被処理水の流れ方向に沿った下流側の所定位置に、下流側窒素負荷量計測手段としてのアンモニア計６２が設置されている。具体的にアンモニア計６２は、好気槽３における被処理水の流れ方向に沿った全長に対して１／２より下流側、好適には３／４より下流側、より好適には最下流側に設置される。なお、アンモニア計６２は、好気槽３の外部でさらに下流側の被処理水の流出位置に設けても良い。
【００３１】
また、好気槽３には、被処理水の流れ方向に沿って散気手段としての散気部７１，７２，７３，７４が順次設けられている。これらの散気部７１〜７４にはブロア８が接続されている。ブロア８は、散気部７１〜７４に空気などの気体を供給することによって、好気槽３内の略全域に亘って散気を行って、好気槽３に貯留されている被処理水を曝気する。好気槽３においては被処理水が生物処理され、主に被処理水中に含まれるアンモニア性窒素が亜硝酸性窒素や硝酸性窒素に硝化されるとともに、全体に亘って局所的な嫌気無酸素領域が生じて脱窒が行われる。
【００３２】
また、散気部７１〜７４にはそれぞれ、制御装置を構成する気体供給量制御手段の一部としての気体供給量制御部９１，９２，９３，９４が設けられている。気体供給量制御部９１〜９４はそれぞれ、例えば空気流量制御弁などから構成される。気体供給量制御部９１〜９４は、制御装置を構成する気体供給量制御手段の一部としての制御部５からの制御信号に従って、好気槽３における散気部７１〜７４からの気体供給量をそれぞれ一様または個別に制御する。
【００３３】
固液分離槽４には、好気槽３から流出した被処理水が流入する。固液分離槽４においては、被処理水が分離液４１と活性汚泥４２とに分離される。分離液４１は消毒処理過程に送出されて処理水として排出される。また、固液分離槽４の底部には汚泥返送経路１２が接続されている。活性汚泥４２の一部は、汚泥返送経路１２を通じて嫌気槽２に返送される。これにより、嫌気槽２内および好気槽３内の生物量を所定量に維持できる。なお、返送された活性汚泥４２中の硝酸性窒素は、嫌気槽２において脱窒処理される。活性汚泥４２の残部は、余剰汚泥として外部に排出される。
【００３４】
この一実施形態による制御装置としての制御部５は、例えばＣＰＵ、ＲＯＭやＲＡＭなどの記憶媒体、モニタなどの出力装置、およびハードディスクなどの記録媒体を有して構成されるコンピュータ（ＰＣ）などからなる。制御部５の記録媒体に、後述する気体供給量制御方法を実行可能な、この一実施形態による所定のプログラムが格納されている。このプログラムは記録部５４に記憶させても良く、外部の記録媒体を用いれば、例えば上述したコンピュータに気体供給量制御方法のプログラムをインストールできる。上述したプログラムを記憶した記録媒体は、非一過性の記録媒体であっても良い。非一過性の記録媒体は特に限定されないが、ＣＤ−ＲＯＭ、ＤＶＤ、またはハードディスクなどの各種の記録媒体を採用することが可能である。
【００３５】
また、制御部５は、上述したコンピュータによる演算処理の一種である気体供給量算出手段および気体供給量調整手段としての気体供給量算出部５１、入力部５２、出力部５３、および上述した記録媒体などからなる記録手段としての記録部５４を備える。
【００３６】
入力手段としての入力部５２は、外部からデータを入力可能なキーボードや入力インターフェースなどからなる。これにより、制御部５は、作業者が入力部５２を用いて計測値データを入力したり、アンモニア計６１，６２などの外部の計器から入力部５２を通じて計測値データを入力したりできるように構成されている。
【００３７】
出力手段としての出力部５３は、情報を外部に報知可能なディスプレイや出力インターフェースなどからなる。これにより、制御部５は、算出結果を出力部５３に出力することによって、外部の作業者が認識可能な状態で報知したり、制御信号を気体供給量制御部９１〜９４に供給して制御したりできるように構成されている。
【００３８】
この一実施形態において、制御部５は、アンモニア計６１，６２から入力部５２を通じて入力されたアンモニア性窒素負荷量の計測値データなどに応答して、プログラムに従って制御信号を出力し、気体供給量制御部９１〜９４を制御する。なお、作業者が、アンモニア計６１，６２から窒素負荷量の計測値データを読み取り、この計測値データを、入力部５２を用いて制御部５に入力することも可能である。制御部５によって気体供給量制御部９１〜９４が制御されると、散気部７１〜７４からの気体供給量が制御される。すなわち、制御部５および気体供給量制御部９１〜９４によって、気体供給量制御手段が構成される。
【００３９】
アンモニア計６１，６２は、あらかじめ設定された時間ごとに被処理水の窒素負荷量としてのアンモニア性窒素濃度を計測する。アンモニア計６１，６２はそれぞれ、設置された位置におけるアンモニア性窒素濃度を計測して計測結果を制御部５に供給する。制御部５は、供給されたアンモニア性窒素濃度の計測値データを記録部５４に格納する。これにより、記録部５４には、窒素負荷量のデータが蓄積され、所定時間ごとの総窒素負荷量のデータも格納される。
【００４０】
記録部５４には、上述した負荷パターンから導出された基準となる負荷パターン、気体供給量の算出に用いられる所定時間ごとの風量係数、気体供給量の算出値、および気体供給量制御部９１〜９４の実績値のデータが格納されている。制御部５の気体供給量算出部５１は、これらの格納されているデータに基づいて風量係数の算出および設定を行う。さらに気体供給量算出部５１は、設定した風量係数と記録部５４にあらかじめ格納された基準となる負荷パターンとに基づいて、散気部７１〜７４の気体供給量（曝気量）を設定する。制御部５は、設定した気体供給量に基づいて気体供給量制御部９１〜９４を制御して好気槽３内の被処理水に供給する気体供給量を制御する。これらの制御部５、気体供給量制御部９１〜９４、およびアンモニア計６１，６２によって、排水の処理システムが構成される。なお、制御部５の気体供給量算出部５１による演算処理、および気体供給量の制御の詳細については後述する。
【００４１】
（排水の処理方法における気体供給量制御）
次に、好気槽３において行われる排水の処理方法、およびこれに伴う制御方法並びに制御部５が実行するプログラムによる気体供給量の制御方法について説明する。図２は、この一実施形態による排水の処理方法および処理方法に伴う気体供給量の制御方法を説明するためのフローチャートである。
【００４２】
この一実施形態による気体供給量制御方法の実行に際して、上述したように、まず、排水処理装置における好気槽３に対して、例えば数週間から数ヶ月の窒素負荷量の計測によって蓄積された計測値のデータに基づき、１日の基準の負荷パターンを導出する。この基準の負荷パターンとしては、数週間から数ヶ月に亘る窒素負荷量の計測結果に基づいた、それぞれの日の負荷パターンを平均した負荷パターンなどを採用することができる。なお、この一実施形態においては、最初の基準となる負荷パターンとして、例えば、図３に示すような負荷パターンを、制御を行う当日に対して直前の２週間分で平均させた負荷パターンを採用する。
【００４３】
図２に示すように、まずステップＳＴ１において、気体供給量算出部５１は、設定を行う所定時点から設定された過去の所定時期までのデータを遡って、記録部５４から窒素負荷量の計測値データを読み出す。具体的に、この一実施形態においては、設定を行う時刻を例えば０時とし、所定時間を例えば２４時間（１日）とする。また、過去の窒素負荷量の計測値データは、日時に関連づけられて記録部５４に格納されている。気体供給量算出部５１は、設定を行う時刻より例えば２週間前までの窒素負荷量の計測値データ、すなわち１４日分の負荷パターンのデータを読み出す。気体供給量算出部５１は、読み出した２週間分の負荷パターンのデータに対して、例えば平均を計算して、所定時点以降に適用すべき当日の負荷パターンを算出し、基準となる負荷パターンまたは前日の負荷パターンを更新する。この算出された負荷パターンは所定時間固定される。更新された負荷パターンのデータは、日付などの日時に関連づけされて検索可能な状態で記録部５４に格納される。
【００４４】
次に、ステップＳＴ２に移行して、気体供給量算出部５１は、風量係数を算出して設定する。すなわち、この一実施形態において、記録部５４に過去の風量係数のデータが蓄積されている場合には、基準となる風量係数として、例えば前日の最後に微調整されて設定された風量係数を用いる。なお、制御単位時間ごとの風量係数の微調整については、後述するステップＳＴ６において詳細に説明する。一方、過去の所定時期までの一定時間における風量係数のデータが蓄積されていない場合には、基準とする風量係数として、例えば過去の一定時間未満の時期における平均の気体供給量（ｍ3／ｈ）から導出された風量係数を用いることができる。その後、気体供給量算出部５１は、導出した風量係数を当日の基準となる風量係数として設定する。
【００４５】
次に、ステップＳＴ３に移行して、気体供給量算出部５１は、上述した負荷パターンに基づく制御単位時間ごとの気体供給量を算出して設定する。すなわち、上述したように、負荷パターンは所定時間ごと、この一実施形態においては１日ごとにほぼ同様の変動パターンとなる。そこで、気体供給量算出部５１は、ステップＳＴ２において算出して設定した風量係数に基づいて、制御単位時間ごとの気体供給量を算出して設定する。この一実施形態においては、制御単位時間は３０分以上３時間以下の例えば１時間である。すなわち、気体供給量算出部５１は、負荷パターン（図３参照）に基づいて、翌日の２４時間における１時間ごとの気体供給量をそれぞれ算出する。なお、気体供給量は、例えば以下の（１）式から算出され、制御単位時間当たりの窒素負荷比率は、例えば図３に示す日平均窒素負荷量に対する比率である。
気体供給量＝制御単位時間当たりの窒素負荷比率×風量係数…（１）
【００４６】
ここで、制御単位時間を３０分以上とすれば、連続測定器による計測が必要なくなるので、複数の位置における測定をより少ない台数、具体的には例えば１台の計測器によって対応できる。これにより、設備費と維持管理時間および維持管理費用を低減できる。また、制御単位時間を３時間より長くすると、気体供給量の制御における対応精度が落ちるため、適切な制御ができなくなる可能性が生じるため、制御単位時間は３時間以下が好ましい。
【００４７】
また、この一実施形態において例えば、２４時間内のある１時間において、１時間当たりの窒素負荷比率が５０％であり、算出された風量係数が２２００である場合、（１）式から、この１時間の気体供給量は（５０％×２２００＝）１１００ｍ3／ｈと算出される。
【００４８】
次に、ステップＳＴ４に移行して、気体供給量算出部５１は、ステップＳＴ３において設定した気体供給量に基づいて、出力部５３を通じて気体供給量制御部９１〜９４をそれぞれ制御する。これにより、散気部７１〜７４から好気槽３内に設定された気体供給量の散気が行われ、好気槽３内の被処理水に対して生物処理が行われる。
【００４９】
次に、ステップＳＴ５に移行すると、気体供給量算出部５１に、アンモニア計６２から入力部５２を通じて窒素負荷量としてのアンモニア性窒素濃度の計測値データが供給される。そして、気体供給量算出部５１は、アンモニア計６２の設置位置におけるアンモニア性窒素濃度の計測値データと目標値との比較を行う。ここで、この一実施形態において、アンモニア計６２の設置位置におけるアンモニア性窒素濃度の目標濃度は、例えば５ｍｇ／Ｌである。
【００５０】
その後、ステップＳＴ６に移行して、気体供給量算出部５１は、ステップＳＴ５において比較したアンモニア性窒素濃度の目標値と計測値とに基づいて、制御単位時間ごとに風量係数を変更する微調整を行う。この風量係数の微調整によって、制御単位時間ごとの気体供給量が調整される。具体的に、アンモニア性窒素濃度の目標濃度が５ｍｇ／Ｌであるのに対して計測値が目標濃度より高い８ｍｇ／Ｌであった場合、風量係数を例えば２％増加させる。これにより、風量係数は２２００から２２４４に増加されるため、設定される気体供給量も２％増加される。反対に、計測値が２ｍｇ／Ｌ未満である場合、風量係数を例えば２％減少させる。これにより、風量係数は２２００から２１５６に減少されるため、設定される気体供給量も２％減少される。
【００５１】
なお、風量係数の増減について、風量係数をどの程度増減させるかについては、風量係数の変更に従って、アンモニア性窒素濃度が負荷パターンに沿った所望の濃度範囲に収まるか否かに基づいて決定される。具体的に、風量係数の変更によるアンモニア性窒素濃度の変化量が大きい場合には、風量係数を増減させる値を小さくし、風量係数の変更によるアンモニア性窒素濃度の変化量が小さい場合には、風量係数を増減させる値を大きくするように決定される。具体的に例えば、制御単位時間を１時間に設定し、風量係数の１日ごとの最大変動幅が５０％である場合、１時間ごとの増減割合は最大（５０％／２４時間）で２％程度になる。これらのことは、アンモニア性窒素濃度において、ＢＯＤなどの変化も想定可能であることを前提としている。そのため、例えば流入水の特徴として産業排水の流入の影響が大きいような場合、上述したアンモニア性窒素濃度の計測以外にも、有機物濃度の計測を行ってこの有機物濃度の計測値に基づいて風量係数を調整することも可能である。
【００５２】
そして、ステップＳＴ７に移行して、気体供給量算出部５１は、ステップＳＴ６において設定した気体供給量に基づいて、出力部５３を通じて気体供給量制御部９１〜９４をそれぞれ制御する。これにより、散気部７１〜７４から好気槽３内に設定された気体供給量の散気が行われ、好気槽３内の被処理水に対して生物処理が行われる。なお、作業者が出力部５３から出力された気体供給量の出力値を読み取って、この出力値に基づいて、作業者が気体供給量制御部９１〜９４における気体供給量を制御することも可能である。
【００５３】
その後、ステップＳＴ８に移行して、気体供給量算出部５１は、最初の気体供給量の設定時点から所定時間経過したか否かを判断する。すなわち、気体供給量算出部５１は、ステップＳＴ１〜ＳＴ３における気体供給量の設定時点から、例えば１日経過したか否かを判断する。所定時間経過していた場合（ステップＳＴ８：Ｙｅｓ）、ステップＳＴ１に復帰する。なお、必要に応じて、ステップＳＴ８からステップＳＴ５に復帰して、風量係数の微調整のみを行うようにすることも可能である。
【００５４】
他方、ステップＳＴ８において、所定時間経過していない場合（ステップＳＴ８：Ｎｏ）、ステップＳＴ９に移行する。ステップＳＴ９において気体供給量算出部５１は、ステップＳＴ６における前回の気体供給量の調整から制御単位時間、例えば１時間経過しているか否かを判断する。そして、制御単位時間経過するまで、気体供給量算出部５１は、ステップＳＴ９の判断を繰り返し行う（ステップＳＴ９：Ｎｏ）。制御単位時間経過した段階（ステップＳＴ９：Ｙｅｓ）で、ステップＳＴ５に復帰する。すなわち、最初の気体供給量の設定時点から所定時間経過するまで、制御単位時間ごとにステップＳＴ５〜ＳＴ７を順次繰り返し実行する。なお、アンモニア計６１，６２による計測については、風量係数の算出頻度にかかわらず連続的に行っても良い。
【００５５】
（変形例）
次に、上述した一実施形態の変形例について説明する。図４は、図１に対応する一実施形態の変形例による排水処理装置の構成を示す模式図である。
【００５６】
図４に示すように、変形例による排水の処理装置は、一実施形態と異なり、１台のアンモニア計（図示せず）を有して構成されるアンモニア性窒素濃度計測部６３を備える。また、１つのアンモニア性窒素濃度計測部６３に、複数箇所における被処理水をそれぞれ採取するための複数の配管が、相互で切り替え可能に接続されている。これにより、互いに異なる複数の計測位置から１つのアンモニア性窒素濃度計測部６３に、被処理水が供給可能に構成されている。それぞれの配管には、バルブ１１ａ，１１ｂ，１１ｃがそれぞれ設けられる。そして、これらのバルブ１１ａ〜１１ｃの開閉によって、アンモニア性窒素濃度計測部６３に供給する被処理水を計測位置ごとに切り換える。なお、バルブ１１ａ〜１１ｃの開閉は、制御部５による制御信号に基づいて行っても良く、作業者が手動により行っても良い。
【００５７】
また、流入側窒素負荷量計測手段および下流側窒素負荷量計測手段としてのアンモニア性窒素濃度計測部６３は、バルブ１１ａ〜１１ｃのうちの開いたバルブに応じて、複数の計測位置における被処理水の窒素負荷量を独立に測定可能に構成されている。また、アンモニア性窒素濃度計測部６３は、計測した窒素負荷量の値を、入力部５２を通じて制御部５に供給可能に構成されている。これによって、上述した一実施形態と異なり、アンモニア性窒素濃度計測部６３を１台設置するのみで、排水の処理装置の複数箇所における被処理水の窒素負荷量を測定できる。なお、アンモニア性窒素濃度計測部６３に被処理水を供給する方法以外にも、計測用槽を設け、この計測用槽にそれぞれの位置の被処理水を供給してアンモニア性窒素濃度計測部６３によって窒素負荷量を計測することも可能である。
【００５８】
この変形例においては、嫌気槽２の上流側における被処理水、好気槽３内のほぼ中間位置の被処理水、および好気槽３内の下流側（流出側）の被処理水が選択的に、アンモニア性窒素濃度計測部６３に供給される。その他の構成は、上述した一実施形態と同様なので、説明を省略する。
【００５９】
次に、変形例による気体供給量の制御方法について説明する。図５は、図２に対応する一実施形態の変形例による排水の処理方法および処理方法に伴う気体供給量の制御方法を説明するためのフローチャートである。
【００６０】
図５に示すように、この変形例による気体供給量の制御方法においては、ステップＳＴ１１〜ＳＴ１４については、上述した一実施形態におけるステップＳＴ１〜ＳＴ４と同様である。続いて、ステップＳＴ１５においては、上述した一実施形態と異なり、バルブ１１ａ〜１１ｃを１箇所ずつ切り替える。これによって、１つの計測器である１台のアンモニア計を備えたアンモニア性窒素濃度計測部６３に、複数箇所の被処理水が互いに独立して供給される。アンモニア性窒素濃度計測部６３は、それぞれの計測位置における被処理水のアンモニア性窒素濃度をそれぞれ独立して計測する。その後、ステップＳＴ１６に移行する。
【００６１】
ステップＳＴ１６においては、上述した一実施形態のステップＳＴ５と同様に、計測したそれぞれの箇所のアンモニア性窒素濃度と目標値とが比較される。すなわち、制御部５は、複数の計測位置における被処理水のアンモニア性窒素濃度の計測値と、それぞれの計測位置におけるアンモニア性窒素濃度の目標値とを比較する。その後、ステップＳＴ１７に移行する。ステップＳＴ１７〜ＳＴ２０はそれぞれ、上述した一実施形態によるステップＳＴ６〜ＳＴ９と同様であるので、説明を省略する。
【００６２】
以上説明した本発明の一実施形態および変形例によれば、あらかじめ計測された窒素負荷量に基づいて導出された負荷パターンと、前日に算出された１時間ごとの風量係数とに基づいて、当日の１時間ごとの気体供給量を算出して設定できる。さらに、逐次計測されるアンモニア性窒素濃度に基づいて風量係数を微調整することで気体供給量を微調整できる。そのため、窒素負荷量の計測と気体供給量の算出および制御とを簡略化することができるので、排水の処理装置におけるランニングコストを低コスト化できる。
【００６３】
さらに、従来のＤＯ制御においては、窒素を含有する流入水の有機物濃度やアンモニア濃度が変化して、これらの負荷が低下した時には空気量が過剰になりやすく、反対に、負荷が上昇した時には空気量が不足しやすくなっていた。また、従来技術である特許文献１に記載されたアンモニア制御においては、上流側における外部から流入する窒素を含有する原水のアンモニア負荷に応じて適切な量の空気を散気装置に供給できる反面、脱窒処理の制御が困難であり、窒素除去率を向上させることが困難であった。これに対し、上述した一実施形態および変形例によれば、１時間ごとに下流側のアンモニア性窒素濃度を計測し、計測されたアンモニア性窒素濃度に応じて風量係数を微調整することで、上述した負荷パターンに基づいて決定された気体供給量を微調整している。これにより、被処理水の水質を所望の性状に維持できるので、処理水質を改善することが可能となる。
【００６４】
また、変形例によれば、複数系列の処理に対して１台の計測器で複数の計測位置における被処理水の窒素負荷量を計測して、気体供給量の制御を行うことができるので、計測器の台数を削減することができる。
【００６５】
以上、本発明の一実施形態について具体的に説明したが、本発明は、上述の一実施形態に限定されるものではなく、本発明の技術的思想に基づく各種の変形が可能である。例えば、上述の一実施形態において挙げた数値はあくまでも例に過ぎず、必要に応じてこれと異なる数値を用いても良い。
【００６６】
上述の一実施形態においては、好気槽３を単一の好気槽から構成しているが、好気槽３を複数の好気槽から構成することも可能であり、嫌気槽２と好気槽３との間に無酸素槽を設けることも可能である。また、上述の一実施形態においては好気槽３として浅槽を採用しているが、好気槽３として、深さ（水深）が６ｍ以上の深槽を採用しても良い。
【００６７】
また、上述の一実施形態においては、所定時点を０時、所定時間を２４時間、および制御単位時間を１時間としているが、必ずしもこれらの時刻や時間に限定されるものではなく、その他の時刻や時間を設定することが可能である。具体的には、所定時間を１週間、所定時点を１週間内の特定の曜日の１２時、および制御単位時間を３０分とすることも可能である。また、基準となる負荷パターンは、曜日ごと、具体的に例えば平日と土日祝日とで異なるパターンを用いることも可能である。
【００６８】
また、上述の一実施形態や変形例においてさらに、負荷パターンの導出後、アンモニア計６１，６２やアンモニア性窒素濃度計測部６３を取り外して、外部において行った気体供給量の算出結果に基づいて、１日に１度程度、風量係数を調整するような運転を行っても良い。
【００６９】
また、上述の一実施形態においては、流入側窒素負荷量計測手段や下流側窒素負荷量計測手段としてアンモニア計を採用しているが、必ずしもアンモニア計に限定されるものではない。例えば硝酸計、酸化還元電位計（ＯＲＰ計）、化学的酸素要求量計（ＣＯＤ計）、生物化学的酸素要求量計（ＢＯＤ計）、または溶存酸素濃度計（ＤＯ計）などの他の計器を用いることも可能である。
【００７０】
また、上述の一実施形態においては、基準となる風量係数の設定の際に、前日の最後に微調整された風量係数や、所定時間未満の平均の気体供給量に基づいて導出された風量係数を用いる方法を採用しているが、必ずしもこの方法に限定されるものではない。具体的には、窒素負荷量の変化の傾向（トレンド）や１週間内の曜日ごとの窒素負荷量の変化の傾向に基づいて、基準となる風量係数を算出するようにしても良い。例えば、制御を行う当日の曜日に対して、先週の同じ曜日において微調整された風量係数のデータを用いて、当日の風量係数や気体供給量を算出することも可能である。同様に、窒素負荷量の変化の傾向に基づいて、制御を行う当日の窒素負荷量（負荷パターン）を予測し、当日の風量係数や気体供給量を算出することも可能である。さらに、基準となる風量係数として、前日の風量係数の平均、前日の最初に微調整された風量係数、またはそれ以外の時点で微調整された風量係数など、種々風量係数を採用することが可能である。
【００７１】
また、上述の一実施形態において、作業者が、アンモニア計６１，６２の計測値を読み取って、ＰＣ等の演算制御装置に入力したり、ＰＣ等の演算制御装置を用いて風量係数や気体供給量を算出したりすることも可能である。
【符号の説明】
【００７２】
１  最初沈殿池
２  嫌気槽
３  好気槽
４  固液分離槽
５  制御部
８  ブロア
１１ａ，１１ｂ，１１ｃ  バルブ
１２  汚泥返送経路
２１  モータ
２２  攪拌部
４１  分離液
４２  活性汚泥
５１  気体供給量算出部
５２  入力部
５３  出力部
５４  記録部
６１，６２  アンモニア計
６３  アンモニア性窒素濃度計測部
７１，７２，７３，７４  散気部
９１，９２，９３，９４  気体供給量制御部
【図１】
0006430324.tif 000002
【図２】
0006430324.tif 000003
【図３】
0006430324.tif 000004
【図４】
0006430324.tif 000005
【図５】
0006430324.tif 000006